(57)【要約】      （修正有）【課題】密着性良好なマスクの提供。【解決手段】マスク本体部、顔面に沿った立体形状を有する保形具３、及び鼻部を覆う接顔布２とからなり、マスク本体部の周縁部と接顔布の外周部とが接合され、前記保形具が前記接合部間に挿入されているマスクであって、該保形具の鼻周りのフレーム４にセンターと左右サイドに切り欠きを設けたことを特徴とするマスクである。【選択図】図２
0003117121.tif 000002
【実用新案登録請求の範囲】
【請求項１】
マスク本体部、顔面に沿った立体形状を有する保形具、及び鼻部を覆う接顔布とからなり、マスク本体部の周縁部と接顔布の外周部とが接合され、前記保形具が前記接合部間に挿入されているマスクであって、該保形具の鼻周りのフレームにセンターと左右サイドに切り欠きを設けたことを特徴とするマスク。
【請求項２】
前記接顔布はナイロン繊維又はポリエステル繊維より成る伸縮性を有する生地の一方の面にポリウレタン等の軟質樹脂をラミネートしたシート状生地で構成され、且つ、該ラミネートしたシート状生地を鼻孔及び口付近を異形リング状に切断されていることを特徴とする請求項１に記載のマスク。
【請求項３】
マスク本体はプリーツを有することを特徴とする請求項１又は２に記載のマスク。
【請求項４】
前記保形具の左右のサイドフレームをアーチ形状にしたことを特徴とする請求項１〜３の何れかの項に記載のプリーツマスク。
【考案の詳細な説明】
【技術分野】
【０００１】
本発明は日常装着されるマスクに関し、装着者の顔面にフィットした接顔布を有し、特に鼻周りの密着性を向上させたマスクに関する。
【背景技術】
【０００２】
マスクには主として食品工場や精密機械工場などの清潔を要求される職場、あるいは医療用又は日常生活において衛生上用いられるものと、浮遊粉塵などの多い環境下での作業に際して用いられる産業用マスクとがある。本発明はこれらの分野で使用されるもので、マスク本体がガーゼ、不織布などのシート状ろ過材で構成されているか、あるいはマスク本体の内側にガーゼ、不織布などのシート状ろ過材を挿入し、これで人間の顔の鼻、口部及びあご付近を覆い、しめ紐を耳にかけて装着するが、人間の顔の形状は様々であるので、従来より顔の形状に合わせるため、いろいろの工夫が施されている。例えば、伸縮性が小さいシート形状の材料を口辺及び鼻部を覆う形状に打ち抜き成形する方法があるが、この方法は成形品の単価を抑えることができるが、平板状であるため、顔の起伏に追随することができず、顔との確実なフィットが得られない。このマスクの改良形として、シート状ろ過材に軟質アルミなどの金属部品を貼り合わせ、特に起伏のはげしい鼻部周辺は、金属部品を曲げて各個人の鼻部の形状に合わせたマスクがある。このマスクは使い捨て式防じんマスク及びその他の簡易マスク等の比較的安価なマスクとして使用されているが、金属を使用しているため、廃棄の際、金属部分を分別しなければならず、煩わしいという問題がある。最も多く使用されているマスクとしては、ゴム弾性を有する材料を使用し、立体的に成形したマスクである。このマスクは、主に、取替え式防じんマスク、及び防毒マスクなどの高価なマスクに使用しているが、大まかな形状が決まってしまうため、様々な顔の大きさに合わせて、複数のサイズを形成する必要がある。
【考案の開示】
【考案が解決しようとする課題】
【０００３】
本考案者は、安価な素材を使用して、マスク装着者の顔面にフィットした接顔布を有するマスク、特に鼻周りの接顔布の密着性について種々検討した結果、本考案を完成したもので、本考案の目的はマスク装着者の顔面に密着した接顔布を有するマスクを提供することである。
【課題を解決するための手段】
【０００４】
本考案の要旨は、マスク本体部、顔面に沿った立体形状を有する保形具、及び鼻部を覆う接顔布とからなり、マスク本体部の周縁部と接顔布の外周部とが接合され、前記保形具が前記接合部間に挿入されているマスクであって、該保形具の鼻周りのフレームにセンターと左右サイドに切り欠きを設けたことを特徴とするマスクである。
【考案の効果】
【０００５】
本考案は保形具の鼻周りのフレームにセンターと左右に切り欠き部を設けたことによって、鼻の高い装着者に対してはセンターの切り欠き部から開き、また、鼻の低い装着者に対してはサイド部切り欠き部が開き、保形具と顔面との密着ラインが変形でき、何れの装着者に対しても鼻周りの密着性を向上することが出来るという効果を奏する。
【考案を実施するための最良の形態】
【０００６】
本考案について詳細に述べる。
本考案のマスク本体部は、通常この種のマスクを構成している生地を使用すれば良く、マスク本体部がろ過作用を有する生地か、あるいはマスク本体部にろ過作用を有する生地内側を重ねても良い。また、マスク本体にはプリーツを設け装着者の呼気をろ過材以外の個所から直接外気中に排出しないようにしても良い。ろ過作用を有する生地としては、従来より使用されているものであれば何れでも良く、主として不織布、ガーゼ等であり、マスク本体部の左右にしめ紐を取り付け、これによって装着できるようにする。
本考案の接顔布とは装着者の顔の形状に合わせて、鼻孔付近を除いて口辺及び鼻部を覆うようにくり抜いた異形のリング状をした生地であって、くり抜いた部分によって鼻孔付近に空間が形成されている。この空間部によって長時間使用しても息苦しさはない。
接顔布の異形リングの幅としては１０〜４０ｍｍ程度であって、会話時の口の動きにも追随して動くようにし、常に高い密着性を保持できるようにする。接顔布を構成する生地としては、ナイロン繊維又はポリエステル繊維等よりなる伸縮性を有する生地の一方の片面にポリウレタン等の軟質樹脂をラミネートしたシート状が好ましく、軟質樹脂の厚さとしては特に制限はなく非通気性であれば良く、通常１０〜５０μｍ程度である。本発明ではこのナイロン繊維又はポリエステル繊維が顔面に接するので肌触り良好で、汗によるべたつきを防ぐことができる。
【０００７】
本発明にかかるマスクはマスク本体部の周縁部と接顔布の外周部とを接合してある。接合は、両者を接着剤で接着したり、縫製したり、あるいは溶着したり何れの手段でも良いが気密性の点から溶着することが好ましい。さらに、マスク本体部の周縁部と接顔布の外周部との接合部に沿って顔形にそった立体形状をもった保形具を入れることで、さらに顔面と接顔布との密着性が向上することができる。保形具は上部の鼻周り部分のフレームと下部の顎周り部分のフレーム及びこの両者をつなげるサイドフレームからなり、通常ポリエチレン、ポリプロピレン或いはポリアセタール等のプラスチック樹脂で構成されている。そして、本考案で使用する保形具は上部の鼻周り部分のフレームにはセンター部と左右サイド部とに切り欠きを設け、これによって装着者の鼻周りの密着性を向上するのである。更に、保形具において、鼻周り部分のフレームと顎周り部分のフレームとをつなげる左右のサイドフレームをアーチ形状にすることによって顎や口の動きに従って下部の顎周りフレームが動き、顎や口の動きに追従することが出来るので好ましい。
【実施例】
【０００８】
次に実施例として図面もってさらに具体的の本考案を説明する。
図１は本考案に係るマスクの斜視図であり、図２は該マスクの背面図である。図１及び図２において本考案に係るマスクはマスク本体１と、鼻孔付近に空間が出来るようにくり抜いてある異形のリング状の接顔布２とがその周縁において溶着されていて、この溶着部４に顔面の立体形状に沿った保形具３が挿入されている。図３は本考案で使用する保形具３の正面図であり、図４はその側面図である。図３及び図４において、保形具３は上部の鼻周り部分のフレーム４と下部の顎周りの部分のフレーム５及びこの両者を繋げる左右のサイドフレーム６からなっている。そして、本考案のマスクにおいては、上部の鼻周り部分のフレーム４のセンターに切り欠き部７を、また、左右サイド部に切り欠き部８を設ける。なお、９はしめ紐である。
このような保形具を挿入したマスクを装着した場合、鼻の高い装着者に対しては、センターの切り欠き部より開き、鼻の低い装着者に対してはサイド部の切り欠き部より開き、何れの装着者に対して接顔布が顔面に密着することが出来る。
【図面の簡単な説明】
【０００９】
【図１】本考案に係るマスクの斜視図
【図２】図１のマスクの背面図
【図３】本考案に係るマスクで使用する保形具の正面図
【図４】図３の保形具の側面図
【符号の説明】
【００１０】
１  マスク本体              ２  接顔布
３  保形具                  ４  鼻周り部分のフレーム
５  顎周り部分のフレーム    ６  サイドフレーム
７  センターの切り欠き部    ８  サイドの切り欠き部
９  しめ紐
【図１】
0003117121.tif 000003
【図２】
0003117121.tif 000004
【図３】
0003117121.tif 000005
【図４】
0003117121.tif 000006